(57)【特許請求の範囲】
【請求項１】
（ａ）再配置区間の始点において、移動元チャネルの信号を移動先チャネルにも送出するブリッジ設定を行ない、
（ｂ）再配置区間に沿ったすべてのポインタ回路について、移動先チャネルのポインタ動作を移動元チャネルに連動させ、
（ｃ）ステップ（ａ）（ｂ）の後、移動元チャネルから移動先チャネルへ信号を切り換え、
（ｄ）ステップ（ｃ）の後、ステップ（ｂ）のポインタ連動動作を解除し、
（ｅ）ステップ（ｃ）の後、ステップ（ａ）のブリッジ設定を解除するステップを具備する回線再配置方法。
【請求項２】
再配置区間の始点から終点へ第１のメッセージを送り、
第１のメッセージに答えて第２のメッセージを終点から始点へ送るステップをさらに具備し、
ステップ（ｂ）は第１のメッセージを契機として実行され、
ステップ（ｄ）は第２のメッセージを契機として実行される請求項１記載の方法。
【請求項３】
現用回線と予備回線について、前記（ａ），（ｂ），（ｃ），（ｄ）および（ｅ）の各ステップが並列的に実行される請求項１記載の方法。
【請求項４】
複数のチャネルの受信側と送信側の間でポインタ処理を行なうポインタ回路であって、各チャネルについて、
各チャネルのペイロードデータを一時的に格納するＥＳメモリと、
ＥＳメモリの書込アドレスと読出アドレスを比較してスタッフ要求を生成する位相比較部と、
スタッフ要求に基づき、送信側のポインタを決定するポインタ決定部とを具備し、
各チャネルについて、さらに、
回線再配置の際に、移動先チャネルについて、書込アドレスと読出アドレスとして、移動元チャネルの書込アドレスと読出アドレスをそれぞれ選択してＥＳメモリへ供給する第１および第２のセレクタと、
移動先チャネルについて、スタッフ要求として移動元チャネルのスタッフ要求を選択してポインタ決定部へ供給する第３のセレクタとを具備するポインタ回路。
【請求項５】
前記第１および第２のセレクタはさらに、連結されたチャネルのそれぞれについて、書込アドレスと読出アドレスとして、該連結されたチャネルの先頭チャネルの書込アドレスと読出アドレスをそれぞれ選択し、
移動先の連結されたチャネルのそれぞれについて、書込アドレスと読出アドレスとして、移動元の連結されたチャネルの先頭チャネルの書込アドレスと読出アドレスをそれぞれ選択する請求項４記載のポインタ処理回路。
【発明の詳細な説明】
【０００１】
【発明の属する技術分野】
本発明は、ＳＯＮＥＴ／ＳＤＨ光伝送システムにおける高次群側のＴＳＡ（Ｔｉｍｅ  Ｓｌｏｔ  Ａｓｓｉｇｎｍｅｎｔ：タイムスロット割当）の再配置（回線再配置）を、無瞬断で行う方法およびそれを実現するための回路に関する。
【０００２】
【従来の技術】
近年のＳＯＮＥＴ／ＳＤＨ光伝送システムでは、情報化社会における通信回線の需要増大を背景に、高速・大容量の光伝送装置が求められている。一方でインターネットや電子メール等の情報サービスの近年の急速な発展は、それらの処理に欠かせないＩＰルータ等の高速・大容量化に支えられている。そのような大容量の装置を低次群側として多重化を行う光伝送装置では、扱う信号が大容量化する傾向にある。従って近年の光伝送装置・システムでは特に、低次群側の大容量化に柔軟に対処可能である事が要求されるようになってきている。
【０００３】
その際、大容量の低次群信号を収容するためのチャネル連結（Ｃｏｎｃａｔｅｎａｔｉｏｎ）の設定は任意の複数チャネルに対して行えるものではない為、高次群側のチャネル割り当てを変更する必要が生じるケースがある。
例えばＳＯＮＥＴのＯＣ−１（またはＳＴＳ−１）を収容するチャネルを１２本有するＯＣ−１２に、ＯＣ−３（またはＳＴＳ−３ｃ）を収容する場合について説明する。ＯＣ−３（ＳＴＳ−３ｃ）をＯＣ−１２に収容する場合、ＣＨ１〜ＣＨ３の連結、ＣＨ４〜ＣＨ６の連結、ＣＨ７〜ＣＨ９の連結、またはＣＨ１０〜ＣＨ１２の連結といった形で連結領域をつくってそこに収容しなければならない。したがって、図１中にハッチング示す位置が占有されている区間においてＳＴＳ−３ｃを新たに収容する場合、図２に示すようにＣＨ８を占有する信号をＣＨ６に移動して再配置しなければ新たなＳＴＳ−３ｃを収容することができない。ＳＴＳ−３ｃを新たに収容する区間における配置を図２に示すように変更することにより、ＣＨ７〜ＣＨ９を連結してＳＴＳ−３ｃを収容することが可能となる。
【０００４】
従来の光伝送システムでは、このようなＴＳＡの再配置（回線再配置）を実施する際、
（ａ）送端側の光伝送装置において移動元チャネル（上記の例ではＣＨ８）の信号を移動先チャネル（上記の例ではＣＨ６）にも送出〔ブッリジ設定〕
（ｂ）受端側の光伝送装置において信号の取り出しをＣＨ８からＣＨ６へ変更〔スイッチ動作〕
（ｃ）送端側の光伝送装置においてＣＨ８への送出を停止〔ブリッジ解除〕
の一連のシーケンスに従うことで、既にサービス提供を行っている回線を長時間切断することなく回線再配置を実施することは可能である。
【０００５】
ところでＳＯＮＥＴ／ＳＤＨ光伝送システムでは、各光伝送装置のクロック周波数の微差を吸収してデータの欠落または重複を防止するためにポインタ回路が設けられる。ポインタ回路は、ペイロードデータを一時的に格納するＥＳ（Ｅｌａｓｔｉｃ  Ｓｔｏｒｅ）メモリを有し、その書込アドレスと読出アドレスの位相差に基いて、送信側のフレームにおけるペイロードの挿入位置を変更してクロック周波数の微差を吸収する。
【０００６】
【発明が解決しようとする課題】
このポインタ回路によるポインタ処理は、連結されたチャネルの間を除き各チャネルで独立に行なわれる。その為、（ａ）のブリッジ設定後の状態において、移動元チャネル及び移動先チャネルの送端側でのペイロードの位相（Ｊ１位相）が揃っていても、各ノードにおけるポインタ処理を経た受端側でのＪ１位相は異なってしまうことになる。
【０００７】
従って、受端側での（ｂ）のスイッチ動作により、データの二重送出あるいは欠落を生じることとなり、信号の瞬断を生じる。この信号の瞬断はＴＳＡにおける切り換え動作そのものによるものではなく、そこに至るまでのポインタ処理に起因するものである為、通常非同期タイミングにて制御される切り換え動作を主信号タイミングに同期化しても回避することが出来ない。また上記のデータの二重送出及び欠落は、本質的にはポインタ値の差異に依るものである為、この瞬断の復旧に要する時間は切り換え後のチャネルの正常ポインタを３連続受信するまで及ぶ事になる。
【０００８】
したがって本発明の目的は、回線再配置を無瞬断で行なう方法、およびそれを実現するための回路を提供することにある。
【０００９】
【課題を解決するための手段】
本発明によれば、（ａ）再配置区間の始点において、移動元チャネルの信号を移動先チャネルにも送出するブリッジ設定を行ない、（ｂ）再配置区間に沿ったすべてのポインタ回路について、移動先チャネルのポインタ動作を移動元チャネルに連動させ、（ｃ）ステップ（ａ）（ｂ）の後、移動元チャネルから移動先チャネルへ信号を切り換え、（ｄ）ステップ（ｃ）の後、ステップ（ｂ）のポインタ連動動作を解除し、（ｅ）ステップ（ｃ）の後、ステップ（ａ）のブリッジ設定を解除するステップを具備する回線再配置方法が提供される。
【００１０】
本発明によれば、複数のチャネルの受信側と送信側の間でポインタ処理を行なうポインタ回路であって、各チャネルについて、各チャネルのペイロードデータを一時的に格納するＥＳメモリと、ＥＳメモリの書込アドレスと読出アドレスを比較してスタッフ要求を生成する位相比較部と、スタッフ要求に基づき、送信側のポインタを決定するポインタ決定部とを具備し、各チャネルについて、さらに、回線再配置の際に、移動先チャネルについて、書込アドレスと読出アドレスとして、移動元チャネルの書込アドレスと読出アドレスをそれぞれ選択してＥＳメモリへ供給する第１および第２のセレクタと、移動先チャネルについて、スタッフ要求として移動元チャネルのスタッフ要求を選択してポインタ決定部へ供給する第３のセレクタとを具備するポインタ回路もまた提供される。
【００１１】
本発明によれば、タイムスロット割当の設定変更信号を主信号に同期させるフリップフロップを具備するタイムスロット割当処理回路もまた提供される。
【００１２】
【発明の実施の形態】
図３は、本発明のポインタ回路の一例としての、各ＳＴＳ−１チャネル毎に１７バイトのＥＳメモリを有するＳＴＳ−ｎの信号を扱うポインタ回路のブロック図である。ポインタ回路は、受信側のクロック（Ｒ）とフレームタイミング（Ｒ）で動作するＥＳメモリ１４の書き込み側である受信側処理部１０と、送信側のクロック（Ｓ）とフレームタイミング（Ｓ）で動作するＥＳメモリ１４の読み出し側である送信側処理部１２とに大別される。
【００１３】
先ず受信側処理部１０のＳＰＥオフセットＣＴＲ（Ｒ）部１６では、受信側のフレームタイミングを基準としてＳＰＥ（Ｓｙｎｃｈｎｏｎｏｕｓ  Ｐａｙｌｏａｄ  Ｅｎｖｅｌｏｐｅ）のオフセット位置を示す１／７８３カウンタ値を生成し、Ｊ１ＣＴＲ部１８に出力する。さらに、受信データのＳＰＥ位置を示すＳＰＥタイミング（Ｒ）信号を生成し、ＳＰＥ  ＴＩＭ（Ｒ）部２０へ出力する。
【００１４】
受信データの処理に関しては、ＰＴＲ  ＤＥＴ部２２では、受信側のフレームタイミングを基準として受信データからＨ１／Ｈ２バイトを抽出し、次段のＡＣＴ  ＰＴＲ部２４に出力する。また、ＰＴＲ  ＤＥＴ部２２は受信データのＨ１／Ｈ２バイトからＩＮＣ／ＤＥＣ要求（スタッフ要求）を検出して、ＳＰＥＴＩＭ（Ｒ）部２０に通知する。
【００１５】
続くＡＣＴ  ＰＴＲ部２４では、受信データのＨ１／Ｈ２バイトからＮＤＦ（Ｎｅｗ  Ｄａｔｅ  Ｆｌａｇ）、スタッフ要求等を検出し、アクティブポイント値の更新を行う。
さらにＪ１ＣＴＲ部１８ではＳＰＥオフセットカウンタ値を基準として、アクティブポインタ値から受信データのＪ１の位置を示すＪ１イネーブル（Ｒ）信号を生成する。
【００１６】
受信データの書き込みアドレス生成に関しては、先ずＳＰＥ  ＴＩＭ（Ｒ）部２０にて、受信データのＳＰＥ位置を示すＳＰＥタイミング（Ｒ）にＰＴＲ  ＤＥＴ部２２からの受信ポインタのＩＮＣ／ＤＥＣ（Ｒ）情報を加味し、ＩＮＣ（Ｒ）受信時のＨ３バイトの次のバイト（正スタッフ）やＤＥＣ（Ｒ）受信時のＨ３バイト（負スタッフ）の分を考慮したＥＳメモリ１４の書込タイミングを生成する。
【００１７】
続くＷＣＴＲ部２６では、書込タイミングを１／１７分周してＥＳメモリ１４への書き込みアドレスを生成する。但し、ＷＣＴＲ部２６で生成される書き込みアドレスはチャネル連結を考慮しておらず、各チャネル毎に独立な書き込みアドレスが生成される。
従って連結信号に関して、従属チャネルの書き込みアドレスを先頭チャネルの書き込みアドレスに一致させる為、ＳＥＬ（Ｒ）部２８にて、連結設定に従って従属チャネルのセレクタに対しては先頭チャネルの書き込みアドレスを選択させる処理を行う。ここで、ＴＳＡ再配置の過程でのブリッジ設定の状態で、移動先チャネルの書き込みアドレスを移動元チャネルの書き込みアドレスに連動させる為、移動先チャネルのセレクタに移動元チャネルの書き込みアドレスを選択させる機能がこのＳＥＬ（Ｒ）部２８に追加されている。
【００１８】
一方送信側処理部１２のＳＰＥオフセットＣＴＲ（Ｓ）部３０では、送信側のフレームタイミングを基準としてＳＰＥのオフセット位置を示す１／７８３カウンタ値を生成し、オフセットＧＥＮ部３２に出力する。さらに、送信データのＳＰＥ位置を示すＳＰＥタイミング（Ｓ）信号を生成し、ＳＰＥ  ＴＩＭ（Ｓ）部３４へ出力する。
【００１９】
送信データの処理に関してはＮＤＦ  ＧＥＮ部３６において、ＥＳメモリ１４ら読み出されたＪ１イネーブル（Ｓ）信号と前フレームのＪ１イネーブル位置との比較を行い、変動した場合にはＮＤＦ−イネーブルの生成を行う。
またオフセットＧＥＮ部３２では、ＳＰＥオフセットカウンタ値を基準として、乗せ換え後のＪ１イネーブル位置のオフセット算出を行い、１０ビットのポインタ値の生成を行う。
【００２０】
続くＰＴＲ  ＧＥＮ部３８では、各ブロックにて生成されたＮＤＦ−イネーブル、１０ビットカウンタ値、ＩＮＣ／ＤＥＣ（Ｓ）情報、及び連結設定状態から送信Ｈ１／Ｈ２バイトの生成を行う。そしてＰＴＲ  ＩＮＳ部４０にて、ＰＴＲＧＥＮ部３８で生成されたＨ１／Ｈ２バイトをクロック乗せ換え処理後の主信号データに挿入する。
【００２１】
送信データの読み出しアドレス生成に関しては、先ずＳＰＥ  ＴＩＭ（Ｓ）部３４にて、送信データのＳＰＥ位置を示すＳＰＥタイミング（Ｓ）にＳＥＬ（Ｐ）部４２ににて選択された送信ポインタのＩＮＣ／ＤＥＣ（Ｓ）情報を加味し、ＩＮＣ（Ｓ）送信時のＨ３バイトの次のバイト（正スタッフ）やＤＥＣ（Ｓ）送信時のＨ３バイト（負スタッフ）の分を考慮したＥＳメモリ１４の読出タイミングを生成する。
【００２２】
続くＲＣＴＲ部４４では、読出タイミングを１／１７分周してＥＳメモリ１４からの読み出しアドレスを生成する。但し、ＲＣＴＲ部４４で生成される読み出しアドレスはチャネル連結を考慮しておらず、各チャネル毎に独立な読み出しアドレスが生成される。
従って連結信号に関して、従属チャネルの読み出しアドレスを先頭チャネルの読み出しアドレスに一致させる為、ＳＥＬ（Ｓ）部４６にて、連結設定に従って従属チャネルのセレクタに対しては先頭チャネルの読み出しアドレスを選択させる処理を行う。ここで、ＴＳＡ再設置の過程でのブリッジ設定の状態で、移動先チャネルの読み出しアドレスを移動元チャネルの読み出しアドレスに連結させる為、移動先チャネルのセレクタに移動元チャネルの読み出しアドレスを選択させる機能がこのＳＥＬ（Ｓ）部４６に追加されている。
【００２３】
ＷＣＴＲ部２６とＲＣＴＲ部４４とからの書込および読出タイミングはＰＣ部４８にて位相比較され、書き込みアドレスと読み出しアドレスが近づいている場合にはＩＮＣ／ＤＥＣ（Ｓ）要求（スタッフ要求）を送出する事により、受信側フレームから送信側フレームへの乗せ換えが正常に行われる様に制御を行う。
ここで、ＴＳＡ再配置の過程でのブリッジ設定の状態で、移動先チャネルのＩＮＣ／ＤＥＣ（Ｓ）要求送出を移動元チャネルのＩＮＣ／ＤＥＣ（Ｓ）要求送出に連動させる為、移動先チャネルに移動元チャネルのＩＮＣ／ＤＥＣ（Ｓ）要求を選択させる為の機能がＳＥＬ（Ｐ）部４２として追加されている。
【００２４】
図４は、連結によりＳＴＳ−４８ｃまで収容可能なＳＴＳ−１９２ポインタ処理回路のＣＨ４８用ＳＥＬ（Ｒ）部２８の具体的な構成例を示している。一般にＣＨｍのＳＥＬ（Ｒ）部は、ＳＴＳ−１，ＳＴＳ−３ｃ，ＳＴＳ−１２ｃ，ＳＴＳ−４８ｃの連結設定状態に従ってそれぞれの連結の先頭チャネルの書込アドレスを選択する。ＣＨ４８の場合、ＳＴＳ−１，ＳＴＳ−３ｃ，ＳＴＳ−１２ｃ，ＳＴＳ−４８ｃの連結設定に対して、セレクタ５０，５２，５４によりそれぞれＣＨ４８，ＣＨ４６，ＣＨ３７，ＣＨ１のチャネルを選択し、さらにセレクタ５６によりその書き込みアドレスを選択する。さらにこの選択されたチャネルがブリッジ設定状態における移動先チャネルに指定されている際には、セレクタ５８により移動元チャネルの書き込みアドレスを選択させる。
【００２５】
ＳＥＬ（Ｓ）部４６の構成もこれと全く同等の回路となるので図示と説明を省略する。
図５は、ＳＴＳ−ｎポインタ処理回路のＣＨｍ用ＳＥＬ（Ｐ）部４２の具体的な構成例を示している。ＳＥＬ（Ｐ）部は図４に示したＳＥＬ（Ｒ）部、ＳＥＬ（Ｓ）部と同等の回路形式でも構わないが、ＩＮＣ／ＤＥＣ情報は連結されたチャネルのうち先頭チャネルに対してのみ必要で従属チャネルについては不要であるから、この様に簡単化することが可能である。ＣＨｍが移動先の先頭チャネルに指定されている際に、セレクタ６０が移動元の先頭チャネルを選択し、セレクタ６２がそのＩＮＣ／ＤＥＣ（Ｓ）情報を選択する。
【００２６】
上記のポインタ回路の構成は、このまま連結信号への対応も可能である。例えばＳＴＳ−３ｃ  ＣＨ２（ＳＴＳ−１  ＣＨ４−６）について、通常（従来）のＳＥＬ（Ｒ），ＳＥＬ（Ｓ）部は、
対象ＣＨ        選択ＣＨ
ＣＨ４          ＣＨ４
ＣＨ５          ＣＨ４
ＣＨ６          ＣＨ４
の様に選択を行うが、ＳＴＳ−３ｃ  ＣＨ５（ＳＴＳ−１  ＣＨ１３−１５）からＳＴＳ−３ｃ  ＣＨ２（ＳＴＳ−１  ＣＨ４−６）に回線再配置する際のブリッジ設定状態においては、
対象ＣＨ        選択ＣＨ
ＣＨ４          ＣＨ１３
ＣＨ５          ＣＨ１３
ＣＨ６          ＣＨ１３
の様に選択を行う。即ち、図４のＳＥＬ（Ｒ），ＳＥＬ（Ｓ）部の回路構成は、ＴＳＡ再配置のブリッジ設定の状態にて移動先チャネルに対して移動元の先頭チャネルの書き込みまたは読み出しアドレスを選択させる機能を実現している。この様に、従来のポインタ回路に小規模の変更・追加を施す事で連結信号も含めた無瞬断回線再配置を実現する為の手段が提供される事が、本発明の大きな特徴であり、利点である。
【００２７】
図６は、リングシステムにおいて本発明を実現する為の光伝送装置の構成例を特にＥａｓｔ  ｔｏ  Ｗｅｓｔ  パスにのみ着目して示したものである。ここで送信側のＰＴＲ（Ｓ）部６４は本発明の為に必須のブロックではないが、一般的な光伝送装置ではこの様に送信側にもポインタ回路を配している構成が採られる事が多い為、そうした事情に促したものとしている。
【００２８】
先ずＰＴＲ（Ｒ）部６６，ＰＴＲ（Ｓ）部６４は前述の通り本発明を実現する際の鍵となるブロックであり、ブリッジ設定の状態において再配置後の移動先チャネルのＥＳメモリへの書込／読出タイミング及びスタッフ要求送出処理を移動元（先頭）チャネルのポインタ処理に連動処理可能な構成のものである。
次にＴＳＡ部６８であるが、このブロックは基本的には従来のＴＳＡ部をそのまま流用可能である。但し、従来のＴＳＡ機能はスタティックな設定をその処理の前提としていたのに対し、本発明では運用中のダイナミックな設定変更を実現する必要がある為、ＴＳＡの設定（変更）タイミングを制御系クロックから主信号クロックに乗せ換える必要がある。さらに大容量チャネルを処理するクロスコネクト機能は通常時分割処理が用いられる為、（時分割）処理タイミングに同期させて設定変更時のミスコネクションによる回線の瞬断を防ぐ事が最低限必要となる。
【００２９】
また本発明に用いているＯＨ  ＤＲＯＰ部７０，７１，ＯＨ  ＩＮＳ部７２，７３では、従来の光伝送装置が処理するオーバーヘッドバイトに加えて、回線再配置プロトコルにおけるメッセージとして用いるＬＯＨの空きバイトに関する抽出／送入が可能である。
そして制御部７４では、ＯＨ  ＤＲＯＰ部７０からの回線再配置メッセージの受信、ＯＨ  ＩＮＳ部７３への再配置メッセージの送出、ＰＴＲ部６４，６６への連動動作設定及びＴＳＡ部６８へのブリッジ設定やスイッチ制御等の無瞬断回線再配置に必要な各種監視・制御機能が実現される。
【００３０】
図７はＴＳＡ処理部６８の設定変更制御タイミングの生成回路を示している。本発明では運用中のダイナミックな設定変更が求められる為、制御部７４からの制御クロックに同期したＴＳＡ設定信号をフリップフロップ７６，７８で主信号クロックに乗せ換え、さらにフリップフロップ８０で主信号ＦＰに同期させている。その後、シフトレジスタ８２でｎビット遅延させる事により実際のＴＳＡ制御をオーバーヘッドのＡ１／Ａ２処理期間中に実行させている。この構成では、仮に実際の主信号をＴＳＡ処理するブロックが設定変更時にエラーを発生してしまう構成であったとしても、Ａ１／Ａ２のフレームタイミングにはＴＳＡ処理後の装置の送端にて“Ｆ６２８ｈ”の固定パターンが挿入されるので、そのエラーは装置内に閉じることになる。
【００３１】
図８は本発明が適用されるネットワークの一例として１６ノードで構成されるＯＣ−ｎリングネットワークの構成を示す。無瞬断再配置の実現の為、各ノードには１から２５５までのノード番号が割り付けられている。
図８に示す様なＯＣ−ｎのリングネットワーク構成における無瞬断回線再配置のプロトコルにおけるメッセージの例を図９〜１２に示す。本実施例ではＯＣ−１２，ＯＣ−４８，ＯＣ−１９２またはＯＣ−７６８の２５５ノードまでのリングネットワークへの対応を考慮して、Ｚ１＃７−＃１２の６バイトを利用している。以下に本発明による回線再配置用の５種類のメッセージを説明する。なお、図９はＺ１＃７−＃１２の６バイトのうちの＃７および＃８を説明し、図１０は＃９および＃１０を、図１１は＃１１および＃１２を説明し、図１２にはそれらを組み合わせたＡ〜Ｅの５種類のメッセージを示す。
【００３２】
先ずＡの「Ｎｏ  Ｒｅｑｕｅｓｔ」であるが、このメッセージは回線再配置の待ち受け状態を意味する。本プロトコルに関する全ての処理シーケンスはこの「Ｎｏ  Ｒｅｑｕｅｓｔ」の双方送出・受信をもって完了する。
続くＢの「疎通確認」は、ネットワークの疎通確認用に用意されたものであり、開始局−終了局間の全ての局が待ち受け状態にある事を確認する為に実行される。また、本メッセージは開始局から送出される。
【００３３】
Ｃの「再設置要求」は、開始局から終了局までの区間について、移動元チャネルから移動先チャネルへの回線再配置を実行する為のメッセージであり、開始局から送出される。本メッセージによりポインタの連動動作及びＴＳＡ切換え動作が実行される。
Ｄの「解除要求」は終了局がＢ／Ｃを正常受信した際の応答であり、終了局から返送される。本メッセージにより、ポインタ連動動作の解除が実行される。
【００３４】
そしてＥの「取消要求」は終了局、もしくは異常を検出した中継局のＢ／Ｃに対する応答である。本メッセージにより、ポインタ連動動作の解除及び必要に応じてＴＳＡ切戻しが実行される。
これらのメッセージを用いた回線再配置の処理シーケンスを図１３および図１４に示す。図示した例は、開始局である第１局から終了局である第４局の間の区間について回線再配置を実行する場合を示す。但し、図中Ｂ＜１，４＞等の表記は、開始局：第１局から終了局：第４局に対してＢのメッセージを送出する事を表すものとする。本発明による処理シーケンスは
（１）開始局から終了局への〔Ｂ〕疎通確認／〔Ｃ〕再配置要求の送出
（２）終了局側から開始局への〔Ｄ〕正常終了応答／〔Ｅ〕異常終了応答の送出
（３）開始局から終了局側への送出メッセージの解除
（４）終了局側から開始局への応答メッセージの解除
の４つのステップに大別される。また、各ステップにおいて送出・応答メッセージは持続的に送出され、送出・応答メッセージの変化をトリガに次のステップに移行する。
【００３５】
先ず（１）のステップは、主として移動先チャネルへのＴＳＡのブリッジ設定後にポインタ回路の連動動作を開始局から終了局に向けて順番に制御して行く為の過程である。この様に開始局から順番にポインタを連動動作させていくことにより、本メッセージを受信した各途中局における移動先チャネルのＪ１位相は移動元チャネルのＪ１位相に揃っている事になる。従って、各途中局では自局の関連するポインタの連動動作の制御を実行した後に、次局に向けて受信したメッセージを転送することになる。例えば、途中局が図６に示す構成を有する場合、ＯＨ  ＤＲＯＰ部７０においてＺ１バイトの位置からＣのメッセージが抽出されたら、制御部７４はメッセージに指定されたチャネルについてＰＴＲ（Ｒ）部６６を連動動作とし、次にＰＴＲ（Ｓ）部６４を連動動作とした後、受け取ったＣのメッセージをＯＨ  ＩＮＳ（Ｗ）部７３においてＺ１バイトの位置に挿入する。
【００３６】
さらに、リングシステムにおける重要なアプリケーションであるブロードキャスト或いはドロップアンドコンティニューが設定されている場合で、途中局であっても再配置対象チャネルを低次群側にドロップしている局では、開始局からの連動動作が確立され次第、ＴＳＡ６８のドロップチャネルの切換え制御を実行することになる。
【００３７】
次の（２）のステップは、主としてポインタ回路の連動動作を終了局から順番に解除して行く為の過程である。ここで各局におけるポインタ連動動作は、その局に入力される移動元及び移動先の２チャネルのＪ１位相が完全に揃っていることを前提としている為、その解除動作は終了局側から実行しなければならない。従って、各途中局では自局の関連するポインタの連動動作を解除した後に、次局に向けて受信した応答メッセージを転送するこになる。例えば、途中局が図６に示す構成を有する場合、ＯＨ  ＤＲＯＰ部７１においてＺ１バイトの位置からＥのメッセージが抽出されたら、制御部７４はＰＴＲ（Ｓ）部６４の連動動作を解除し、次いでＰＴＲ（Ｒ）部６６の連動動作を解除した後、受け取ったＥのメッセージをＯＨ  ＩＮＳ（Ｅ）部７２においてＺ１バイトの位置に挿入する。
【００３８】
再配置対象チャネルを低次群側にドロップしている途中局でのＴＳＡ６８のドロップチャネルの切換え制御は、（１）のステップでなく（２）のステップで行なっても良い。（１）のステップが何らかの障害で中断した場合に切り戻しの必要がない点で後者の方が有利である。
続く（３）のステップでは、開始局でのＴＳＡのブリッジ設定を解除後、送出メッセージを解除していくステップである。本ステップは（１）の送出メッセージを取り消す為のステップであり、主信号処理上の実動作は発生しない。
【００３９】
最後の（４）のステップもこれと同様、終了局からの応答メッセージを解除していくステップである。このステップにより、双方向のメッセージが共に“ＮｏＲｅｑｕｅｓｔ”となって初めてその局は新規メッセージの待ち受け状態に入る事になる。
上記は正常に処理が遂行された際の動作であるが、要求の衝突や無効な設定がなされた際にはこの（２）のステップにて異常終了の応答を返す。その際には、異常検出局から開始局に向けて順番に、ポインタ処理の連動動作解除と（１）のステップでドロップチャネルの切替が既に実行されている場合については、ＴＳＡのドロップチャネルの切戻しを実行する。さらに異常終了のメッセージを受信した開始局は、移動先チャネルへのＴＳＡのブリッジ設定を取り止め、以降のメッセージ解除ステップに移行する。
【００４０】
以上のシーケンスにより、開始局に対して対象区間、移動元／移動先チャネルを指定するのみで自動的に無瞬断ＴＳＡ再配置を実行することができる。また、その実現の鍵となるポインタ回路の回路変更・追加は小規模である事も、本発明の大きな特色である。
ところで、以上の例はリングシステムにおいて低次群側からのアッドに始まり低次群側へのドロップに終わる高次群側のパスの全区間に渡り回線再配置を行う場合のものであるが、本発明においてメッセージ上に開始局・終了局を明示させている目的は、リングシステムにおいて高次群側のパスの一部区間のみの回線再配置を実行可能とする為である。従って、前述の例のようにアッド局からドロップ局までの高次群側のパス全体を再配置する用途に限定する際、もしくはリニアシステムに対しては、回線再配置の開始局と終了局はパスの開始局と終了局にそれぞれ一致するから、本発明で用いているＺ１＃７，Ｚ１＃８のオーバーヘッド領域は不要となる。
【００４１】
なお、高次群例のパスの一部圧間を回線再配置する場合、例えば第１局からアッドされ第５局からドロップされる信号の、第２局から第４局間のパスについてのみ回線再配置を実行する場合に、途中局である第３局の動作は前述の例と全く同様であるが、回線再配置の開始局である第２局はパスの開始局ではないので、ＴＳＡ部が高次群側入力から高次群側出力へのスルーパスをクロスコネクトすることが可能な構成となっていなければならない。
【００４２】
以上を踏まえてＴＳＡ部に対する制御部の制御を開始局、途中局、終了局毎にまとめると、下記の様に整理される。
先ず開始局では、一連のシーケンスの最初の処置として、移動元チャネルにクロスコネクトされている入力チャネルを移動先チャネルに対しても設定する事で、ブリッジ設定を実現する。その際の入力チャネルは低次群側からのアッドチャネルの場合もあれば、リングシステムにおいては高次群側からのスルーチャネルである場合も存在する。
【００４３】
次に各途中局では、（２）の解除要求が正常終了応答として受信・検出された後、即ち開始局から終了局に至る区間にて回線再配置メッセージが正常に処理された事を認識した後、開始局側から持続的に転送されている（１）の回線再配置要求に指定されている移動元チャネルが自局から低次群側にドロップされているかどうかをクロスコネクトテーブルを検索することにより判定し、これがドロップされている低次群側チャネルについて移動元チャネルから移動先チャネルへのＴＳＡ切換えを実行する。尚、このスイッチ動作は自局の受信側ＰＴＲ（Ｒ）部６６（図６参照）の連動動作を解除する前に実行しなければならない。この時、回線再配置対象チャネルが複数の低次群側のチャネルにドロップされているケースも存在する為、制御部７４は全ての低次群側チャネルに対するクロスコネクトテーブルを隈なく検索する必要がある。但し、回線再配置の途中局では高次群側から高次群側へのスルーチャネルに対するＴＳＡの切換え動作は実施しない。即ちスルーチャネルに対しては移動元チャネルは移動元チャネル、移動先チャネルは移動先チャネルへの接続となる様、ストレートにスルー設定を行う。
【００４４】
従って各途中局では、制御部７４は移動元チャネル及び移動先チャネルに関して、ＴＳＡ部６８の高次群側入力から高次群側出力へのスルーパスが、ストレートに設定されているか否かを判定する必要がある。例えば高次群側パスの一部区間の回線再配置を説明した例で、回線再配置後の第２局ではパスがストレートでなくなっているので、この状態からさらに、第１局を開始局、第４局を終了局とした区間に対してＣＨ８からＣＨ１０への回線配置が要求された場合には、第２局はこの再配置要求を却下し、取消要求を第１局に向けて返送する必要がある。一方で終了局では、ＴＳＡ部において移動元のチャネルのスルーパスがストレートに設定されている必要は無い。従って、上記の状態からさらに、第１局を開始局、第２局を終了局とした区間に対してＣＨ８からＣＨ１０への回線再配置を要求することは可能である。
【００４５】
一方、終了局では、（１）の再配置要求が正常に受信・検出されＴＳＡ部の入力に至る全てのポインタ回路の連動動作が確立された後、ＴＳＡ部における指定された移動元チャネルの高次群側及び低次群側へのクロスコネクト先チャネルを全て洗い出し、漏れなく移動元チャネルから移動先チャネルへのＴＳＡ切換えを実行させる。この時も、回線再配置対象チャネルが複数の高次群側及び低次群側チャネルにクロスコネクトされているケースも存在する為、制御部は高次群側・低次群側を問わず全てのチャネルに対するクロスコネクト設定を検索する必要がある。
【００４６】
以上は全て正常に処理が遂行された際の動作であるが、要求の衝突や無効な設定がなされた際の動作について以降に示す。
図１５は、第１局を開始局として第２局、第３局、第４局を経て第５局までの区間の回線再配置Ｃ＜１，５＞を実行しようとした際に、終了局である第５局にて異常を検出した場合の処理シーケンスである。この例の場合、（１）のＣ＜１，５＞により設定された各局でのポインタ連動動作は（２）のＥ＜１，５＞により解除され、さらにこの応答メッセージを受信・検出した開始局である第１局は、回線再配置を一度断念して、移動先チャネルへのブリッジ設定を解除する。その後、（１），（２）のメッセージにより拘束されている各局を解放する為に、（３）のＡと（４）のＡを送出させ、初期状態である待ち受け状態に戻す。
【００４７】
図１６は、第１局を開始局として第２局、第３局、第４局を経て第５局までの区間の回線再配置Ｃ＜１，５＞を実行しようとした際に、途中局である第４局にて異常を検出した場合の処理シーケンスである。この場合に第４局が返送するＥの取消メッセージについてＥ＜１，４＞の様に異常検出局を終了局として応答を返す事により、開始局側に異常の発生局を通知する事が可能となる。また、異常を検出した時点から、途中局であった第４局は終了局として振舞う為、（３）のＡを受信・検出するまでの間、（２）のＥ＜１，４＞の送出を持続する事が可能となる。一方、途中局は異常を検出して終了局として振舞わない限り、受信されたメッセージをそのまま次局に転送するのみの処理を行う。
【００４８】
図１７は、第１局を開始局とした第２局、第３局を経た第４局までの区間の回線再配置要求Ｃ＜１，４＞と、第５局を開始局とした第４局、第３局を経た第２局までの区間の回線再配置要求Ｃ＜５，２＞とがそれぞれの区間の途中局である第３局における処理中に衝突した際の処理シーケンスである。この場合、先に受信・検出したＣ＜１，４＞に従った処理を実行している最中にもう一方でＣ＜５，２＞を受信・検出した第３局では、回線再配置要求の衝突が生じた時点で双方のメッセージに対する終了局となり、後に受信・検出したＣ＜５，２＞のメッセージを受け付けないのみならず、先に受信・検出したＣ＜１，４＞のメッセージに従った処置の取消を行い、Ｅ＜１，３＞の第１局に向けての取消要求とＥ＜５，３＞の第５局に向けての取消要求とをそれぞれ返送する。即ち、メッセージの衝突時には先着優先ではなく、両者取消の処置を施す必要がある。
【００４９】
図１８は、第１局を開始局とした第２局、第３局、第４局を経た第５局までの区間の回線再配置要求Ｃ＜１，５＞と、第５局を開始局とした第４局、第３局を経た第２局までの区間の回線再配置要求Ｃ＜５，２＞とが、第３局と第４局との間の伝送路上にて衝突した際の処理シーケンスである。この例の第３局、第４局の様に、伝送路上で２つのメッセージが衝突した際には、次局に向けて（１）のメッセージを転送した後に、その次局側から（１）のメッセージを受信することになる。即ち、第３局においては第４局に対してＣ＜１，５＞を転送した後に第４局からのＣ＜５，２＞のメッセージを受信することで、第４局においては第３局に対してＣ＜５，２＞を転送した後に第３局からのＣ＜１，５＞のメッセージを受信することで、それぞれの局が独立かつほぼ同時に、伝送路上で２つのメッセージが衝突したことを認識することになる。この場合に先ず第３局は、第１局に向けての取消要求Ｅ＜１，３＞を返送するのと同時に、第４局に向けて転送してしまったＣ＜１，５＞のメッセージを取り下げてＡの“Ｎｏ  Ｒｅｑｕｅｓｔ”への修正を実行する。同時に第４局においても、第５局に向けての取消要求Ｅ＜５，４＞を返送するのと同時に、第３局に向けて転送してしまったＣ＜５，２＞のメッセージを取り下げてＡの“Ｎｏ  Ｒｅｑｕｅｓｔ”への修正を実行する。つまり、（１）のメッセージを転送した途中局が（２）の代わりに（１）′のメッセージを受信した際には（１）′への応答として（３）に相当するＡの“Ｎｏ  Ｒｅｑｕｅｓｔ”を送出し、（１）′が修正された事により見かけ上の（４）に相当するＡの“Ｎｏ  Ｒｅｑｕｅｓｔ”を受信することで、本発明による（１）〜（４）の基本シーケンスが、異常時を含めて維持される事になる。
【００５０】
また特殊な例として、リングシステムにおいて終了局が存在せずに（１）のシーケンスにおけるＢの疎通確認やＣの再配置要求が１周して開始局に戻ってきてしまった場合には、（２）のシーケンスとして（１）とは反対廻りに開始局から開始局に向けてＥ＜開始局、開始局＞のメッセージを返送するものとする。
光伝送システムでは通常、回線やパスの冗長構成が採られる。また、光伝送装置自身も二重化された冗長構成が採られている。以上の説明では、こうした回線や装置の冗長を採らない単純な構成（２＋０システム）についてのみ説明をしてきた。冗長構成が採られている回線について回線再配置を行なう場合、予備側の回線についても現用側と同じ回線再配置を実施する必要がある。この場合に、現用側の回線の回線再配置の完了後に予備側の回線再配置を実施すると、回線再配置の過程で何らかの理由で現用系から予備系への切替が行なわれたときにミスコネクションが発生する。
【００５１】
したがって、冗長構成が取られている回線の回線再配置を実施する場合には、図１９に示すように前記（１）〜（４）の各ステップを現用系と予備系とで並列して実施することが望ましい。図１９において、図６と同一の機能ブロックには同一の参考番号が付されており、予備側の機能ブロックには「′」が付されている。ラインスイッチ８６とラインブリッジ８４は現用側に設定された入力を選択し現用側と予備側に並列に出力するものである。回線再配置の際には、図中にハッチングで示すように、再配置対象のチャネルについて、現用側と予備側のポインタ回路６４，６４′，６６，６６′の連動動作が行なわれる。Ａ〜Ｅのメッセージは、現用側のＯＨ  ＩＮＳ部７２，７３のみかまたは現用および予備側ＯＨＩＮＳ部７２，７２′，７３，７３′において挿入され、現用側のＯＨ  ＤＲＯＰ部７０，７１において取り出される。
【００５２】
多数の現用回線Ｗi −Ｗn に対して１つの保護回線Ｐが設けられる１：ｎシステムでは、再配置対象となる回線Ｗi が保護回線Ｐとの間でブリッジ設定されている場合には保護回線Ｐに対してもステップ（１）〜（４）が現用回線Ｗi と並列に実行される。現用回線Ｗi が保護回線Ｐとの間でブリッジ設定されていない場合には、現用回線Ｗi についてのみステップ（１）〜（４）が実行される。
【００５３】
ここまで説明してきた１＋１，１：ｎシステムにおける回線再配置の動作は次の様に整理される。先ず送信側ＰＴＲ（Ｓ）６４，６４′の制御については、ラインブリッジが設定されている際に予備回線側へも現用回線と同一の制御を行う。この場合のメッセージ送出は、現用回線／予備回線の双方のＰＴＲ（Ｓ）部６４，６４′への連動動作制御後に、双方に対してメッセージを挿入するものとする。即ち、送端側の局では受端側の局にて現用／予備のどちらの回線が選択されているかを考慮しない。一方、受端側の局ではアクティブ側の回線のメッセージのみを検出して処理を行うものとする。尚、こうした制御部の動作は、以下に説明する２Ｆ−ＢＬＳＲ／４Ｆ−ＢＬＳＲ  Ｓｙｓｔｅｍにも同様に適用される。
【００５４】
図２０および図２１に高次群側がＯＣ−ｎ  ２Ｆ−ＢＬＳＲシステムの場合の回線再配置の実施例を示す。２Ｆ−ＢＬＳＲの正常（リングブリッジ／スイッチの発生無し）状態では、ネットワークの冗長構成を意識することなく、現用回線についてのみ再配置が実施される。冗長構成を考慮した複数の回線（もしくはパス）に対する回線再配置は、回線ブリッジ（もしくはパスブリッジ）の発生時にのみ実行されるものであり、正常状態における２Ｆ−ＢＬＳＲシステムの場合には、予備回線がない場合と同様の制御となる。
【００５５】
一方、図２０，２１における第２局（図中〔２〕で示す）と第３局（図中〔３〕で示す）との間に障害が発生してリングブリッジ／リングスイッチが実行された際のＯＣ−ｎ  ２Ｆ−ＢＬＳＲシステムの回線再配置の実施例を図２２，２３に示す。ここで、２Ｆ−ＢＬＳＲシステムにおいてリングブリッジ／リングスイッチが発生した場合には、回線再配置のメッセージ送受用に割り当てたＺ１＃７−＃１２の６バイトでは不足が生じる。これは２Ｆ−ＢＬＳＲにおける現用チャネルと予備チャネルとが物理的に同一の回線に時分割多重される事に起因しており、４Ｆ−ＢＬＳＲでは問題にならない。従って、２Ｆ−ＢＬＳＲのリングブリッジ／リングスイッチ発生時における無瞬断回線再配置を可能とする為、Ｚ１＃７−＃１２に加えてＺ２＃７−＃１２に同等の機能を割り当てるものとする。尚、ここで新たに追加したＺ２＃７−＃１２についても図９−１２に従うものとし、Ｚ１＃７−＃１２は現用チャネルに関する指定、Ｚ２＃７−＃１２は予備チャネルに関する指定にそれぞれ用いると定義することにする。
【００５６】
さて、移動元／移動先チャネルをそれぞれＣＨｓ／ＣＨｄとすると、第１局にてＴＳＡのブリッジ設定によりＣＨｓ／ＣＨｄにアッドされた信号は第２局まで通常通りに伝送される。この時、第２局に向けて送出される回線再配置要求メッセージをＣ＜１，４；ｓ，ｄ＞／Ａと表記する事にする。第２局ではリングブリッジが実行され、第３局に向かう現用チャネル側については、送信側ＰＴＲ（Ｓ）に対してのＣＨｓ／ＣＨｄの連動動作が設定され回線再配置メッセージＣ＜１，４；ｓ，ｄ＞／Ａが転送される。一方で、第１局に向かう予備チャネル側については、送信側ＰＴＲ（Ｓ）に対してＣＨ（ｓ＋ｎ／２）／ＣＨ（ｄ＋ｎ／２）の連動動作が設定されて回線再配置メッセージＡ／Ｃ＜１，４；ｓ，ｄ＞が転送される。これを受信し検出した第１局のパススルー方向は、ＣＨ（ｓ＋ｎ／２）／ＣＨ（ｄ＋ｎ／２）の連動動作が設定されて第４局に向けてＡ／Ｃ＜１，４；ｓ，ｄ＞のメッセージ転送を行う。さらに第４局も同様にＣＨ（ｓ＋ｎ／２）／ＣＨ（ｄ＋ｎ／２）の連動動作が設定されて第３局に向けてＡ／Ｃ＜１，４；ｓ，ｄ＞のメッセージ転送を行う。リングスイッチ局である第３局では、第２局からのＣ＜１，４；ｓ，ｄ＞／Ａもしくは第４局からのＡ／Ｃ＜１，４；ｓ，ｄ＞のどちらかをリングスイッチの選択に従って検出し、ＣＨｓ／ＣＨｄの連動動作を設定する。そして再び第４局に向けてＣ＜１，４；ｓ，ｄ＞／Ａのメッセージを転送する。第４局ではこれを受信・検出し、ＣＨｓ／ＣＨｄの連動動作を設定後、ＴＳＡのドロップチャネルの切換えを実行する。
【００５７】
ＴＳＡの切換え実施後、第４局は第１局に向けて解除要求メッセージを応答することになるが、先ず第３局に向けてＤ＜１，４＞／Ｃ＜１，４；ｓ，ｄ＞が返送される。これを検出した第３局では、第２局に対してＤ＜１，４＞／Ａを、第４局に対してＣ＜１，４；ｓ，ｄ＞／Ｄ＜１，４＞のメッセージを転送する。後者を受信した第４局は、第１局に対してＡ／Ｄ＜１，４＞のメッセージを転送し、さらに第１局は第２局に向けてＣ＜１，４；ｓ，ｄ＞／Ｄ＜１，４＞のメッセージを転送する。その第２局では、その時のリングスイッチの設定に従って第３局からのＤ＜１，４＞／Ａもしくは第１局からのＣ＜１，４；ｓ，ｄ＞／Ｄ＜１，４＞のどちらかを選択し、第１局に対してＤ＜１，４＞／Ｃ＜１，４；ｓ，ｄ＞のメッセージを転送する。
【００５８】
続いて４Ｆ−ＢＬＳＲ  Ｓｙｓｔｅｍにおける無瞬断回線再配置の適用について説明する。先ずＰＣＡ（Ｐｒｏｔｅｃｔｉｏｎ  Ｃｈａｎｎｅｌ  Ａｃｃｅｓｓ）中を含むＳｐａｎ／Ｒｉｎｇ  Ｂｒｉｄｇｅ／Ｓｗｉｔｃｈが発生していない状態では、２Ｆ−ＢＬＳＲシステムと同様、予備回線のないシステムの場合と同一の制御がなされる。
【００５９】
次にＰＣＡをサポートしない場合の通常状態を含めてＳｐａｎ  ＢｒｉｄｇｅＳｐａｎ  Ｓｗｉｔｃｈが発生している際には、１＋１システムの場合と同様に、送信側ＰＴＲ（Ｓ）の制御については、回線ブリッジが設定されている際に予備回線側へも現用回線と同一の制御を行う。この場合のメッセージ送出・転送は、現用回線／予備回線の双方のＰＴＲ（Ｓ）部への連動動作制御後に、双方に対してメッセージが挿入される。即ち、送端側の局では受端側の局にて現用／予備のどちらの回線が選択されているかを考慮しない。一方、受端側の局ではアクティブ側の回線のメッセージのみを検出して処理を行う。
【００６０】
そしてＲｉｎｇ  Ｂｒｉｄｇｅ／Ｒｉｎｇ  Ｓｗｉｔｃｈが発生している際には、図２４，２５に示す通り２Ｆ−ＢＬＳＲ  Ｓｙｓｔｅｍの場合と同様な制御が実施される。
移動元／移動先チャネルをそれぞれＣＨｓ／ＣＨｄとすると、第１局にてＴＳＡのブリッジ設定によりＣＨｓ／ＣＨｄにアッドされた信号は第２局まで通常通り現用回線を用いて伝送される。この時、第２局に向けて送出される回線再配置要求メッセージはＣ＜１，４＞である。第２局ではリングブリッジが実行され、第３局に向かう現用回線側については、送信側ＰＴＲ（Ｓ）に対してのＣＨｓ／ＣＨｄの連動動作が設定されて回線再配置メッセージＣ＜１，４＞が転送される。一方で、第１局に向かう予備回線側についても同様に、送信側ＰＴＲ（Ｓ）に対してのＣＨｓ／ＣＨｄの連動動作が設定されて回線再配置メッセージＣ＜１，４＞が転送される。これを受信・検出した第１局のパススルー方向は、ＣＨｓ／ＣＨｄの連動動作が設定されて第４局に向けてＣ＜１，４＞のメッセージ転送を予備回線を用いて行う。さらに第４局も同様にＣＨｓ／ＣＨｄの連動動作が設定されて第３局に向けてＣ＜１，４＞のメッセージ転送を行う。リングスイッチ局である第３局では、第２局側の現用回線からのＣ＜１，４＞もしくは第４局側の予備回線からのＣ＜１，４＞のどちらかをリングスイッチの選択に従って検出し、ＣＨｓ／ＣＨｄの連動動作を設定する。そして再び第４局に向けてＣ＜１，４＞のメッセージが現用回線を用いて転送される。第４局ではこれを受信・検出し、ＣＨｓ／ＣＨｄの連動動作を設定後、ＴＳＡのドロップチャネルの切換えを実行する。
【００６１】
ＴＳＡの切換え実施後、第４局は第１局に向けて解除要求メッセージを応答することになるが、先ず第３局に向けて現用回線側にＤ＜１，４＞が返送される。これを検出した第３局では、第２局側の現用回線及び第１局側の予備回線に対してＤ＜１，４＞のメッセージをそれぞれ転送する。後者を受信した第４局は、第１局側の予備回線に対してＤ＜１，４＞のメッセージを転送し、さらに第１局は第２局側の予備回線に向けてＤ＜１，４＞のメッセージを転送する。その第２局では、その時のリングスイッチの設定に従って第３局側の現用回線からのＤ＜１，４＞もしくは第１局側の予備回線からのＤ＜１，４＞のどちらかを選択し、第１局側の現用回線に対してＤ＜１，４＞のメッセージを転送する。
【００６２】
最後にＵＰＳＲシステムにおける無瞬断回線再配置の適用について説明する。図２６に示す様にパススイッチがＴＳＡに対してトリビュタリ側に存在する光伝送装置の場合、即ち各トリビュタリチャネル固有にパススイッチが用意されている場合、Ｅａｓｔ  ｔｏ  Ｗｅｓｔパスに関する回線再配置とＷｅｓｔ  ｔｏ  Ｅａｓｔパスに関する回線再配置とは独立事象となる。従って、それぞれのパスに対して独立に予備回線のないシステムの場合と同様な制御やメッセージ送受が実施される。極端な場合、Ｅａｓｔ  ｔｏ  Ｗｅｓｔパスのみ、もしくはＷｅｓｔ  ｔｏ  Ｅａｓｔパスのみ回線再配置を実行することも可能である。
【００６３】
一方で図２７は、ＴＳＡがパススイッチに対してトリビュタリ側に存在する光伝送装置の場合のＵＰＳＲシステムにおける回線再配置の実施例である。この例の様に各高次群側チャネル毎にパススイッチが用意されている場合、Ｅａｓｔ  ｔｏ  Ｗｅｓｔパスに関する回線再配置とＷｅｓｔ  ｔｏ  Ｅａｓｔパスに関する回線再配置とは独立に扱えなくなる。従って第３局におけるＴＳＡのドロップチャネルの切換え条件は、（１）双方向からの再配置要求の受信、あるいは（２）片方向から再配置要求を受信しておりかつ他方向からの信号がＡＩＳ−Ｐである事となる。また、ドロップチャネルの切換え直前まで移動元チャネルと移動先チャネルのパススイッチの向きを揃えておく必要がある。
【００６４】
（付記１）  （ａ）再配置区間の始点において、移動元チャネルの信号を移動先チャネルにも送出するブリッジ設定を行ない、
（ｂ）再配置区間に沿ったすべてのポインタ回路について、移動先チャネルのポインタ動作を移動元チャネルに連動させ、
（ｃ）ステップ（ａ）（ｂ）の後、移動元チャネルから移動先チャネルへ信号を切り換え、
（ｄ）ステップ（ｃ）の後、ステップ（ｂ）のポインタ連動動作を解除し、
（ｅ）ステップ（ｃ）の後、ステップ（ａ）のブリッジ設定を解除するステップを具備する回線再配置方法。
【００６５】
（付記２）  再配置区間の始点から終点へ第１のメッセージを送り、
第１のメッセージに答えて第２のメッセージを終点から始点へ送るステップをさらに具備し、
ステップ（ｂ）は第１のメッセージを契機として実行され、
ステップ（ｄ）は第２のメッセージを契機として実行される付記１記載の方法。
【００６６】
（付記３）  ステップ（ｂ）は、再配置区間内の各地点において、
（ｉ）第１のメッセージの受信に応じてポインタ連動動作を開始し、
（ii）ポインタ連動動作の開始後、第１のメッセージを転送するサブステップを含み、
ステップ（ｄ）は、再配置区間内の各地点において、
（ｉ）第２のメッセージの受信に応じてポインタ連動動作を解除し、
（ii）ポインタ連動動作の解除後、第２のメッセージを転送するサブステップを含む付記２記載の方法。
【００６７】
（付記４）  ステップ（ｃ）は、区間内の各地点において第２のメッセージを契機として実行される付記２記載の方法。
（付記５）  現用回線と予備回線について、前記（ａ），（ｂ），（ｃ），（ｄ）および（ｅ）の各ステップが並列的に実行される付記１記載の方法。
（付記６）  複数のチャネルの受信側と送信側の間でポインタ処理を行なうポインタ回路であって、各チャネルについて、
各チャネルのペイロードデータを一時的に格納するＥＳメモリと、
ＥＳメモリの書込アドレスと読出アドレスを比較してスタッフ要求を生成する位相比較部と、
スタッフ要求に基づき、送信側のポインタを決定するポインタ決定部とを具備し、
各チャネルについて、さらに、
回線再配置の際に、移動先チャネルについて、書込アドレスと読出アドレスとして、移動元チャネルの書込アドレスと読出アドレスをそれぞれ選択してＥＳメモリへ供給する第１および第２のセレクタと、
移動先チャネルについて、スタッフ要求として移動元チャネルのスタッフ要求を選択してポインタ決定部へ供給する第３のセレクタとを具備するポインタ回路。
【００６８】
（付記７）  前記第１および第２のセレクタはさらに、連結されたチャネルのそれぞれについて、書込アドレスと読出アドレスとして、該連結されたチャネルの先頭チャネルの書込アドレスと読出アドレスをそれぞれ選択し、
移動先の連結されたチャネルのそれぞれについて、書込アドレスと読出アドレスとして、移動元の連結されたチャネルの先頭チャネルの書込アドレスと読出アドレスをそれぞれ選択する付記６記載のポインタ処理回路。
【００６９】
【発明の効果】
以上説明した様に、本発明により１＋１，２＋０（予備回線なし）、１：ｎ，２Ｆ−ＢＬＳＲ，４Ｆ−ＢＬＳＲ，ＵＰＳＲ等の各アプリケーション・システムにおけるＴＳＡの再配置を無瞬断で実行させる効果を奏する。こうした無瞬断回線再配置の実現は特に、近年需要の増加する傾向にある連結信号による回線サービスの新たな追加に伴う連結領域の統合の為の既サービスチャネルの回線再配置を可能とすることから、信頼性の高い柔軟なネットワークの構築、或いは回線使用の効率化に寄与するところが大きい。
【図面の簡単な説明】
【図１】回線再配置の必要性を説明するための図である。
【図２】回線再配置の必要性を説明するための図である。
【図３】本発明のポインタ回路の一例のブロック図である。
【図４】ＳＥＬ（Ｒ）部２８の構成の一例を示す回路ブロック図である。
【図５】ＳＥＬ（Ｐ）部４２の構成の一例を示す回路ブロック図である。
【図６】光伝送装置の構成の一例を示すブロック図である。
【図７】ＴＳＡ処理部６８の設定タイミング生成回路の一例を示す回路図である。
【図８】ＯＣ−ｎのリングネットワークを示す図である。
【図９】回線再配置メッセージの第１および第２バイトを説明する図である。
【図１０】回線再配置メッセージの第３および第４バイトを説明する図である。
【図１１】回線再配置メッセージの第５および第６バイトを説明する図である。
【図１２】回線再配置メッセージを説明する図である。
【図１３】回線再配置の処理シーケンスを示す図である。
【図１４】回線再配置の処理シーケンスを示す図である。
【図１５】異常時の処理シーケンスの例を示す図である。
【図１６】異常時の処理シーケンスの例を示す図である。
【図１７】異常時の処理シーケンスの例を示す図である。
【図１８】異常時の処理シーケンスの例を示す図である。
【図１９】冗長構成が採られている場合の回線再配置を説明する図である。
【図２０】図２１と共に、２Ｆ−ＢＬＳＲシステムにおける回線再配置を説明する図である。
【図２１】図２０と共に２Ｆ−ＢＬＳＲシステムにおける回線再配置を説明する図である。
【図２２】図２３と共に２Ｆ−ＢＬＳＲシステムにおける回線再配置を説明する図である。
【図２３】図２２と共に２Ｆ−ＢＬＳＲシステムにおける回線再配置を説明する図である。
【図２４】図２５と共に４Ｆ−ＢＬＳＲシステムにおける回線再配置を説明する図である。
【図２５】図２４と共に４Ｆ−ＢＬＳＲシステムにおける回線再配置を説明する図である。
【図２６】ＵＰＳＲシステムにおける回線再配置を説明する図である。
【図２７】ＵＰＳＲシステムにおける回線再配置を説明する図である。
【図１】
0004410921.tif 000002
【図２】
0004410921.tif 000003
【図３】
0004410921.tif 000004
【図４】
0004410921.tif 000005
【図５】
0004410921.tif 000006
【図６】
0004410921.tif 000007
【図７】
0004410921.tif 000008
【図８】
0004410921.tif 000009
【図９】
0004410921.tif 000010
【図１０】
0004410921.tif 000011
【図１１】
0004410921.tif 000012
【図１２】
0004410921.tif 000013
【図１３】
0004410921.tif 000014
【図１４】
0004410921.tif 000015
【図１５】
0004410921.tif 000016
【図１６】
0004410921.tif 000017
【図１７】
0004410921.tif 000018
【図１８】
0004410921.tif 000019
【図１９】
0004410921.tif 000020
【図２０】
0004410921.tif 000021
【図２１】
0004410921.tif 000022
【図２２】
0004410921.tif 000023
【図２３】
0004410921.tif 000024
【図２４】
0004410921.tif 000025
【図２５】
0004410921.tif 000026
【図２６】
0004410921.tif 000027
【図２７】
0004410921.tif 000028